(57)【要約】【課題】狭域無線網から撤去される無線機の無線機番号を番号発行無線機より削除できる無線テレメータシステム、番号発行無線機、無線機及び設定器の提供。【解決手段】番号発行無線機は、無線網に接続された無線機のうち撤去対象の無線機を特定する特定情報を取得した機器より送信され、特定情報により特定される無線機に対して付与した無線機番号の削除を要求する削除要求を無線網を通じて受信する受信部と、受信部にて受信した削除要求に含まれる特定情報を参照し、特定情報により特定される無線機の無線機番号を記憶部から削除する削除部とを備える。【選択図】図５
2017199967.tif 000002
【特許請求の範囲】
【請求項１】
メータを接続する接続部を備え、無線網内で夫々に付与された無線機番号を用いて無線通信を行う複数の無線機、及び、前記無線網に接続された各無線機に対して付与すべき無線機番号の発行が可能であり、各無線機に発行した無線機番号と、各無線機が有する固有の識別子とを関連付けて記憶する記憶部を備える番号発行無線機を含む無線テレメータシステムにおいて、
前記番号発行無線機は、
前記無線網に接続された無線機のうち撤去対象の無線機を特定する特定情報を取得した機器より送信され、前記特定情報を含み、前記特定情報により特定される無線機に対して付与した無線機番号の削除を要求する削除要求を前記無線網を通じて受信する受信部と、
該受信部にて受信した削除要求に含まれる特定情報を参照し、該特定情報により特定される無線機の無線機番号を前記記憶部から削除する削除部と
を備えることを特徴とする無線テレメータシステム。
【請求項２】
前記機器は、前記無線網に接続された一の無線機であり、
該無線機は、
前記無線網からの撤去を指示する操作を受付ける受付部と、
該受付部にて前記操作を受付けた場合、前記無線機を特定する特定情報を含み、前記無線機に付与されている無線機番号の削除要求を前記番号発行無線機へ送信する送信部と
を備えることを特徴とする請求項１に記載の無線テレメータシステム。
【請求項３】
前記機器は、前記番号発行無線機と通信可能であり、各無線機に対する設定を行う設定器であり、
該設定器は、
前記無線網から撤去される無線機を特定する特定情報を取得する取得部と、
該取得部により取得した特定情報を含み、該特定情報により特定される無線機に対して付与されている無線機番号の削除要求を前記番号発行無線機へ送信する送信部と
を備えることを特徴とする請求項１に記載の無線テレメータシステム。
【請求項４】
前記記憶部は、各無線機の接続部に接続されたメータを識別するメータ識別子を各無線機の無線機番号に関連付けて記憶してあり、
前記取得部が取得する特定情報は、前記無線網から撤去された無線機に接続されていたメータのメータ識別子である
ことを特徴とする請求項３に記載の無線テレメータシステム。
【請求項５】
前記設定器は、
前記番号発行無線機により付与された無線機番号を記憶する前記無線機のメモリへアクセスするアクセス部と、
該アクセス部を通じてアクセスした前記メモリから無線機番号を取り込む取込部と
を備え、
前記取得部が取得する特定情報は、前記取込部が前記メモリから取り込んだ無線機番号である
ことを特徴とする請求項３に記載の無線テレメータシステム。
【請求項６】
前記設定器は、
前記メータが設置された需要家に関する情報と、前記メータが接続されている無線機の識別子とを関連付けたリストを記憶するリスト記憶部と、
前記リストに基づき、前記需要家に関する情報を表示する表示部と、
該表示部に表示した需要家の情報から、１又は複数の需要家の情報に対する選択を受付ける選択部と
を備え、
前記取得部が取得する特定情報は、前記選択部により選択された１又は複数の需要家の情報に関連付けられている無線機の識別子である
ことを特徴とする請求項３に記載の無線テレメータシステム。
【請求項７】
無線網内の各無線機に対して付与すべき無線機番号を発行する発行部、及び各無線機に発行した無線機番号と、各無線機が有する固有の識別子とを関連付けて記憶する記憶部を備える番号発行無線機において、
前記無線網に接続された無線機のうち撤去対象の無線機を特定する特定情報を取得した機器より送信され、前記特定情報を含み、前記特定情報により特定される無線機に対して付与した無線機番号の削除を要求する削除要求を前記無線網を通じて受信する受信部と、
該受信部にて受信した削除要求に含まれる特定情報を参照し、該特定情報により特定される無線機の無線機番号を前記記憶部から削除する削除部と
を備えることを特徴とする番号発行無線機。
【請求項８】
メータを接続する接続部を備え、番号発行無線機から付与された無線機番号を用いて無線網に接続された他の無線機と無線通信を行う無線機において、
前記無線網からの撤去を指示する操作を受付ける受付部と、
該受付部にて前記操作を受付けた場合、前記無線機を特定する特定情報を含み、前記無線機に付与されている無線機番号の削除を要求する削除要求を前記番号発行無線機へ送信する送信部と
を備えることを特徴とする無線機。
【請求項９】
無線網に接続された各無線機に対して付与すべき無線機番号の発行する番号発行無線機と通信可能であり、各無線機に対する設定を行う設定器において、
前記無線網から撤去される無線機を特定する特定情報を取得する取得部と、
該取得部により取得した特定情報を含み、該特定情報により特定される無線機に対して付与されている無線機番号の削除を要求する削除要求を前記番号発行無線機へ送信する送信部と
を備えることを特徴とする設定器。
【発明の詳細な説明】
【技術分野】
【０００１】
本発明は、無線テレメータシステム、並びに無線テレメータシステムで用いられる番号発行無線機、無線機及び設定器に関する。
【背景技術】
【０００２】
ガス、水道、電気等の検針用に開発された無線テレメータシステムが知られている（例えば、特許文献１を参照）。無線テレメータシステムは、センタ側の構成として、ホストコンピュータ、センタ網制御装置等を備え、端末側の構成として、メータ、無線機、ゲートウェイ無線機等を備える。センタ側のホストコンピュータは、公衆電話網、ＰＨＳ（Personal Handyphone System）網、ＦＯＭＡ（Freedom Of Mobile multimedia Access）網などの広域通信網に、センタ側網制御装置を介して接続される。また、端末側の無線機は、ゲートウェイ無線機と共に狭域無線網を形成すると共に、広域通信網に接続されたセンタ側のホストコンピュータとゲートウェイ無線機を介して通信できるように構成されている。
【０００３】
端末側の無線機には、各需要家に供給されるガス、水道、電気等の供給物の使用量を計測するメータが接続される。各メータは、計測結果（検針値）を取得した場合、取得した検針値を含むパケットを送信する。各メータから送信されるパケットは、メータが接続された無線機を含む１又は複数の無線機、並びにゲートウェイ無線機を経由して、センタ側のホストコンピュータに到達する。
【０００４】
このような狭域無線網において、故障等の理由により無線機を交換する場合、既存の無線機を撤去し、撤去した無線機の代わりに新たな無線機を設置することになる。このとき、新たに設置された無線機には、狭域無線網内で各無線機を識別するための無線機番号が番号発行無線機より付与される。狭域無線網に新たに接続された無線機の無線機番号は、隣接無線機間で行うホップ数テーブルの交換により、他の既存の無線機に通知される。狭域無線網に新たに接続された無線機は、ホップ数テーブルの交換により自身の無線機番号が各無線機により共有された後、無線テレメータシステムのネットワークに参加することができる。
【先行技術文献】
【特許文献】
【０００５】
【特許文献１】特開２０１１−２８７８号公報
【発明の概要】
【発明が解決しようとする課題】
【０００６】
しかしながら、狭域無線網内に設置することができる機器の数は有限数（例えば５０台）に限定されており、無線機番号は狭域無線網内に設置することができる機器の台数分しか用意されていない。従来では、撤去された無線機に代えて新たな無線機を無線網に接続する場合、撤去された無線機に付与されていた無線機番号とは異なる新たな無線機番号を付与する構成であるため、無線機の交換を繰り返した場合、無線機番号が枯渇する可能性が高いという問題点を有している。
【０００７】
本発明は、斯かる事情に鑑みてなされたものであり、狭域無線網から撤去される無線機の無線機番号を番号発行無線機より削除できる無線テレメータシステム、番号発行無線機、無線機及び設定器を提供することを目的とする。
【課題を解決するための手段】
【０００８】
本願の無線テレメータシステムは、メータを接続する接続部を備え、無線網内で夫々に付与された無線機番号を用いて無線通信を行う複数の無線機、及び、前記無線網に接続された各無線機に対して付与すべき無線機番号の発行が可能であり、各無線機に発行した無線機番号と、各無線機が有する固有の識別子とを関連付けて記憶する記憶部を備える番号発行無線機を含む無線テレメータシステムにおいて、前記番号発行無線機は、前記無線網に接続された無線機のうち撤去対象の無線機を特定する特定情報を取得した機器より送信され、前記特定情報を含み、前記特定情報により特定される無線機に対して付与した無線機番号の削除を要求する削除要求を前記無線網を通じて受信する受信部と、該受信部にて受信した削除要求に含まれる特定情報を参照し、該特定情報により特定される無線機の無線機番号を前記記憶部から削除する削除部とを備えることを特徴とする。
【０００９】
本願の無線テレメータシステムは、前記機器は、前記無線網に接続された一の無線機であり、該無線機は、前記無線網からの撤去を指示する操作を受付ける受付部と、該受付部にて前記操作を受付けた場合、前記無線機を特定する特定情報を含み、前記無線機に付与されている無線機番号の削除要求を前記番号発行無線機へ送信する送信部とを備えることを特徴とする。
【００１０】
本願の無線テレメータシステムは、前記機器は、前記番号発行無線機と通信可能であり、各無線機に対する設定を行う設定器であり、該設定器は、前記無線網から撤去される無線機を特定する特定情報を取得する取得部と、該取得部により取得した特定情報を含み、該特定情報により特定される無線機に対して付与されている無線機番号の削除要求を前記番号発行無線機へ送信する送信部とを備えることを特徴とする。
【００１１】
本願の無線テレメータシステムは、前記記憶部は、各無線機の接続部に接続されたメータを識別するメータ識別子を各無線機の無線機番号に関連付けて記憶してあり、前記取得部が取得する特定情報は、前記無線網から撤去された無線機に接続されていたメータのメータ識別子であることを特徴とする。
【００１２】
本願の無線テレメータシステムは、前記設定器は、前記番号発行無線機により付与された無線機番号を記憶する前記無線機のメモリへアクセスするアクセス部と、該アクセス部を通じてアクセスした前記メモリから無線機番号を取り込む取込部とを備え、前記取得部が取得する特定情報は、前記取込部が前記メモリから取り込んだ無線機番号であることを特徴とする。
【００１３】
本願の無線テレメータシステムは、前記設定器は、前記メータが設置された需要家に関する情報と、前記メータが接続されている無線機の識別子とを関連付けたリストを記憶するリスト記憶部と、前記リストに基づき、前記需要家に関する情報を表示する表示部と、該表示部に表示した需要家の情報から、１又は複数の需要家の情報に対する選択を受付ける選択部とを備え、前記取得部が取得する特定情報は、前記選択部により選択された１又は複数の需要家の情報に関連付けられている無線機の識別子であることを特徴とする。
【００１４】
本願の番号発行無線機は、無線網内の各無線機に対して付与すべき無線機番号を発行する発行部、及び各無線機に発行した無線機番号と、各無線機が有する固有の識別子とを関連付けて記憶する記憶部を備える番号発行無線機において、前記無線網に接続された無線機のうち撤去対象の無線機を特定する特定情報を取得した機器より送信され、前記特定情報を含み、前記特定情報により特定される無線機に対して付与した無線機番号の削除を要求する削除要求を前記無線網を通じて受信する受信部と、該受信部にて受信した削除要求に含まれる特定情報を参照し、該特定情報により特定される無線機の無線機番号を前記記憶部から削除する削除部とを備えることを特徴とする。
【００１５】
本願の無線機は、メータを接続する接続部を備え、番号発行無線機から付与された無線機番号を用いて無線網に接続された他の無線機と無線通信を行う無線機において、前記無線網からの撤去を指示する操作を受付ける受付部と、該受付部にて前記操作を受付けた場合、前記無線機を特定する特定情報を含み、前記無線機に付与されている無線機番号の削除を要求する削除要求を前記番号発行無線機へ送信する送信部とを備えることを特徴とする。
【００１６】
本願の設定器は、無線網に接続された各無線機に対して付与すべき無線機番号の発行する番号発行無線機と通信可能であり、各無線機に対する設定を行う設定器において、前記無線網から撤去される無線機を特定する特定情報を取得する取得部と、該取得部により取得した特定情報を含み、該特定情報により特定される無線機に対して付与されている無線機番号の削除を要求する削除要求を前記番号発行無線機へ送信する送信部とを備えることを特徴とする。
【発明の効果】
【００１７】
本願によれば、狭域無線網から撤去される無線機の無線機番号を番号発行無線機より削除することができる。
【図面の簡単な説明】
【００１８】
【図１】本実施の形態１に係る無線テレメータシステムの全体構成を示すブロック図である。
【図２】無線機の内部構成を示すブロック図である。
【図３】番号発行無線機の内部構成を示すブロック図である。
【図４】番号発行無線機が備える番号発行テーブルの一例を示す概念図である。
【図５】撤去対象の無線機及び番号発行無線機が実行する処理の手順を示すタイミングチャートである。
【図６】実施の形態２に係る設定器の内部構成を示すブロック図である。
【図７】設定器及び番号発行無線機が実行する処理の手順を示すタイミングチャートである。
【図８】設定器及び番号発行無線機が実行する処理の手順を示すタイミングチャートである。
【図９】設定器の表示部に表示するリストの一例を示す模式図である。
【図１０】設定器及び番号発行無線機が実行する処理の手順を示すタイミングチャートである。
【発明を実施するための形態】
【００１９】
以下、本発明をその実施の形態を示す図面に基づいて具体的に説明する。
（実施の形態１）
図１は実施の形態１に係る無線テレメータシステムの全体構成を示すブロック図である。本実施の形態に係る無線テレメータシステムは、端末側の構成として、ＮＣＵ２０（NCU : Network Control Unit）、ゲートウェイ無線機２１、複数の無線機２２，２２，…，２２及びメータ２３，２３，…，２３を備える。メータ２３は、例えば個人宅、会社、各種施設等の需要家毎に設置され、ガス、水道、電気等の使用量を計測し、計測結果（検針値）を出力する計測器である。無線テレメータシステムでは、メータ２３の検針値を示すデータ、無線機２２の動作状態を示すデータなど端末側から出力される各種データを、無線通信を利用してセンタ装置１０へ送信すると共に、無線機２２及びメータ２３の動作を制御するための制御指令等を含んだ各種データをセンタ装置１０から端末側へ送信する。
【００２０】
センタ装置１０は、例えば、ＰＨＳ網、ＦＯＭＡ網などの広域無線網Ｎ１を介して端末側と通信を行う網制御装置、端末側から送信されるデータを蓄積する記憶装置を備えたホストコンピュータ等（不図示）を備える。
【００２１】
ＮＣＵ２０は、広域無線網Ｎ１に接続され、広域無線網Ｎ１を介してセンタ装置１０と無線通信を行う。なお、ＮＣＵ２０とセンタ装置１０との間の通信は無線通信に限らず、有線の通信であってもよい。この場合、ＮＣＵ２０及びセンタ装置１０は有線の通信網により接続される。
【００２２】
ゲートウェイ無線機２１とＮＣＵ２０とは、例えばＵバス等のバスラインを介して接続される。ゲートウェイ無線機２１は、バスラインを介して接続されたＮＣＵ２０を通じて、センタ装置１０と通信が行えるように構成されている。
【００２３】
また、ゲートウェイ無線機２１は、無線機２２，２２，…，２２により構築される狭域無線網Ｎ２に参加することにより、各無線機２２，２２，…，２２と通信が行えるように構成されている。なお、狭域無線網Ｎ２に属するゲートウェイ無線機２１及び各無線機２２，２２，…，２２は、狭域無線網Ｎ２内でそれぞれを識別するための識別子として、番号発行無線機３０より発行される無線機番号を有するものとする。ゲートウェイ無線機２１及び各無線機２２，２２，…，２２は、無線機番号により指定した通信相手と無線通信を行う。
【００２４】
各無線機２２は、それぞれに接続されているメータ２３から検針値を含むパケット（検針パケットともいう）をバスラインを通じて受信した場合、狭域無線網Ｎ２を介してゲートウェイ無線機２１へ送信する。このとき、各無線機２２から送信されるパケットは、直接的又は１又は複数の他の無線機２２を経由して、ゲートウェイ無線機２１に到達する。ゲートウェイ無線機２１は、狭域無線網Ｎ２を通じて無線機２２から送信されるパケットを受信した場合、及び自機においてセンタ装置１０へ通知すべきイベントが発生した場合等において、ＮＣＵ２０を通じてセンタ装置１０との通信を行い、所望のパケットをセンタ装置１０へ送信する。
【００２５】
図２は無線機２２の内部構成を示すブロック図である。無線機２２は、制御部２２０、記憶部２２１、狭域無線通信部２２２、接続ポート２２３、表示部２２４、操作部２２５などを備える。無線機２２が備えるハードウェア各部は、電池２２９から供給される電力により動作するように構成されている。
【００２６】
制御部２２０は、例えば、ＣＰＵ（Central Processing Unit）、ＲＯＭ（Read Only Memory）などを備える。制御部２２０内のＣＰＵは、ＲＯＭに予め格納された制御プログラムを実行することにより、機器全体を本発明に係る無線機として機能させる。また、制御部２２０は、日時情報を出力する時計手段、計測開始指示を与えてから計測終了指示を与えるまでの経過時間を計測するタイマ、数をカウントするカウンタ等の機能を備えていてもよい。
【００２７】
記憶部２２１は、例えば、ＥＥＰＲＯＭ（Electronically Erasable Programmable Read Only Memory）などの不揮発性メモリにより構成されており、各種動作に関する設定情報、無線機２２に固有の識別子である無線機ＩＤ、番号発行無線機３０より付与された無線機番号等を記憶する。ここで、無線機ＩＤは、個々の無線機２２，２２，…，２２を識別するための識別子であり、例えば英数字からなる１４バイトの情報である。一方、無線機番号は、狭域無線網Ｎ２に接続されるゲートウェイ無線機２１、各無線機２２、及び番号発行無線機３０を識別するための識別子であり、狭域無線網Ｎ２に接続することができる機器の台数分（例えば５０台分）だけ用意されている。無線機番号は、例えば整数値からなる１バイトの情報である。
【００２８】
また、記憶部２２１は、通信の際に参照する各種テーブルを備える。記憶部２２１が備えるテーブルには、例えば、他の無線機の無線機番号と、自機から他の無線機に至るホップ数とを関連付けて記憶するホップ数テーブルが含まれる。
【００２９】
狭域無線通信部２２２は、アンテナ２２２ａを通じて電波を発信または受信することによって、ゲートウェイ無線機２１及び他の無線機２２，２２，…，２２との間で所定の無線通信方式にて無線通信を行う。無線通信方式としては、例えばＵバスエアの規格に準拠した通信方式が採用される。無線機２２の狭域無線通信部２２２は、自機がゲートウェイ無線機２１又は他の無線機２２から送信されるデータを受信することが可能である場合、ＲＮＯ（自機の無線機番号）を間欠的に送信する。また、狭域無線通信部２２２は、ゲートウェイ無線機２１又は他の無線機２２から送信されるＲＮＯを受信した場合であって、自機が送信すべきパケットを有するとき、当該パケットをＲＮＯの送信元へ送信する。
【００３０】
接続ポート２２３は、ガス、水道、電気等の使用量を計測するためのメータ２３、後述する設定器４０（図６を参照）等を接続するインタフェースを備える。無線機２２は、Ｕバス等のバスラインを介して接続ポート２２３に接続されたメータ２３や設定器４０との間でパケットの送受信を行う。
【００３１】
表示部２２４は、ＬＥＤランプ、液晶表示パネル等により構成されており、制御部２２０から出力される制御信号に基づいて、無線機２２の設置作業、撤去作業等を行う作業者に通知すべき情報を表示する。
【００３２】
操作部２２５は、ディップスイッチ等の各種スイッチ、ボタンにより構成されており、作業者による各種の設定操作を受付ける。制御部２２０は、操作部２２５から入力される設定内容を基に適宜の制御を行い、必要に応じて設定内容を記憶部２２１に記憶させる。
【００３３】
図３は番号発行無線機３０の内部構成を示すブロック図である。番号発行無線機３０は、制御部３００、記憶部３０１、狭域無線通信部３０２、接続ポート３０３、表示部３０４、操作部３０５などを備える。番号発行無線機３０が備えるハードウェア各部は、電池３０９から供給される電力により動作するように構成されている。
【００３４】
制御部３００は、例えば、ＣＰＵ、ＲＯＭ、ＲＡＭなどを備える。ＣＰＵは、ＲＯＭに予め格納された制御プログラムをＲＡＭに読み出して実行することにより、機器全体を本願の番号発行無線機として機能させる。
【００３５】
記憶部３０１は、例えば、ＥＥＰＲＯＭなどの不揮発性メモリにより構成されており、発行した無線機番号と発行先を示す情報とを関連付けて記憶する番号発行テーブル等を有する。
【００３６】
狭域無線通信部３０２は、アンテナ３０２ａを通じて電波を発信または受信することによって、無線機２２と所定の無線通信方式にて通信を行う。無線通信方式としては、例えばＵバスエアの規格に準拠した通信方式が採用される。
【００３７】
接続ポート３０３は、メータ２３等を接続するためのインタフェースを備える。番号発行無線機３０を狭域無線網Ｎ２内の無線機の１つとして機能させる場合、メータ２３が接続ポート３０３に接続される。メータ２３が接続されている場合、接続ポート３０３は、メータ２３から送信される検針値を含んだパケット等を受信することができる。
【００３８】
表示部３０４は、ＬＥＤランプ、液晶表示パネル等により構成されており、制御部３００から出力される制御信号に基づいて、作業者に通知すべき情報を表示する。操作部３０５は、ディップスイッチ等の各種スイッチ、ボタンにより構成されており、作業者による各種の設定操作を受付ける。
【００３９】
図４は番号発行無線機３０が備える番号発行テーブルの一例を示す概念図である。無線機番号は、狭域無線網Ｎ２内に設置された各機器に対して付与した狭域無線網Ｎ２内で固有の番号であり、例えば１〜Ｎ（Ｎは狭域無線網Ｎ２に接続可能な機器の最大数）の整数値により表される。また、発行先を示す情報は、ゲートウェイ無線機２１又は無線機２２の製造番号、シリアル番号等の各機器に固有の識別子（無線機ＩＤ）であり、例えば英数字からなる文字列により表される。
【００４０】
番号発行無線機３０は、狭域無線網Ｎ２に新たに接続される無線機２２（以下、新規設置端末という）から、無線機ＩＤを含む番号発行要求を受付けた場合、新規設置端末に対して発行すべき無線機番号を決定し、決定した無線機番号を含む発行応答を返信する。例えば、番号発行無線機３０は、発行予定の無線機番号（例えば、１〜Ｎの番号）のうち、番号発行テーブルに既に登録されている無線機番号を除く最も小さな無線機番号を、新規設置端末に付与すべき無線機番号として決定することができる。
【００４１】
番号発行無線機３０は、新規設置端末に対して無線機番号を発行した場合、発行した無線機番号と、発行先の無線機ＩＤとを関連付けて番号発行テーブルに記憶させる。また、番号発行無線機３０は、狭域無線網Ｎ２から撤去されるべき無線機２２に関して、無線機番号の削除要求を受信した場合、削除要求の無線機番号及び当該無線機番号に関連付けて記憶されている無線機ＩＤを番号発行テーブルから削除する。
【００４２】
このように、番号発行無線機３０は、狭域無線網Ｎ２内に新たに無線機２２が接続された場合、及び狭域無線網Ｎ２から無線機２２が撤去された場合において、番号発行テーブルを随時更新するようにしている。
【００４３】
以下、狭域無線網Ｎ２に接続された無線機２２を撤去する場合の動作について説明する。
図５は撤去対象の無線機２２及び番号発行無線機３０が実行する処理の手順を示すタイミングチャートである。図５では簡略化のために、狭域無線網Ｎ２から撤去されようとしている無線機２２、及び番号発行無線機３０のみを示している。狭域無線網Ｎ２から撤去されようとしている無線機２２は、操作部２２５にて撤去操作を受付ける（ステップＳ１０１）。撤去操作は、撤去対象の無線機２２に対して撤去されるべき旨の指示を与えるための操作であり、操作部２２５に撤去操作を受付けるための専用のボタンを設けて、当該ボタンより撤去操作を受け付けてもよく、操作部２２５が備える既存のボタンを組み合わせて撤去操作を受け付けてもよい。
【００４４】
撤去操作を受付けた場合、制御部２２０は、自機に付与されている無線機番号を記憶部２２１から読み出し、撤去対象の無線機２２を特定する特定情報として記憶部２２１から読み出した無線機番号を含み、番号発行無線機３０へ無線機番号の削除を要求する番号削除要求を狭域無線通信部２２２より番号発行無線機３０へ送信する（ステップＳ１０２）。無線機２２から送信される番号削除要求は、直接的又は他の無線機２２を経由して、番号発行無線機３０に到達する。
【００４５】
番号発行無線機３０は、狭域無線通信部３０２を通じて、番号削除要求を受信した場合、該当する無線機番号を番号発行テーブルから削除する（ステップＳ１０３）。このとき、番号発行無線機３０は、無線機番号に関連付けて記憶されている無線機ＩＤ（すなわち、撤去対象の無線機２２の無線機ＩＤ）も併せて番号発行テーブルから削除する。
【００４６】
番号発行無線機３０は、撤去対象の無線機２２の無線機番号及び無線機ＩＤを番号発行テーブルから削除した場合、無線機番号及び無線機ＩＤの削除が完了したことを示す削除応答を無線機２２へ返信する（ステップＳ１０４）。
【００４７】
無線機２２は、狭域無線通信部２２２を通じて、番号発行無線機３０から送信された削除応答を受信した場合、表示部２２４に削除結果を表示させる（ステップＳ１０５）。無線機２２は、例えば、無線機番号が削除された旨の文字を表示部２２４に表示させてもよく、表示部２２４が備えるＬＥＤランプを点灯又は点滅させることにより無線機番号が削除された旨を作業者に報知してもよい。
【００４８】
無線機２２は、削除結果を表示した後、動作を停止させる（ステップＳ１０６）。作業者は、無線機２２の動作が停止した後、狭域無線網Ｎ２から無線機２２を撤去することができる。
【００４９】
以上のように、実施の形態１では、無線機２２を撤去する際に番号発行テーブルから撤去対象の無線機番号を削除するので、無線機２２の撤去に伴って空き番号を確保することができる。また、実施の形態１では、撤去対象の無線機２２にて撤去操作を行うことにより、無線機番号が自動的に削除されるので、撤去対象の無線機２２の無線機番号又は無線機ＩＤを入力する作業者の手間を省くことができる。
【００５０】
（実施の形態２）
実施の形態２では、設定器４０を用いて番号発行無線機３０に対する番号削除要求を行う構成について説明する。
なお、無線テレメータシステムの全体構成、無線機２２及び番号発行無線機３０の内部構成は、実施の形態１と同様であるため、その説明を省略することとする。
【００５１】
図６は実施の形態２に係る設定器４０の内部構成を示すブロック図である。設定器４０は、制御部４００、記憶部４０１、狭域無線通信部４０２、表示部４０４、接続ポート４０３、操作部４０５などを備える。設定器４０が備えるハードウェア各部は、電池４０９から供給される電力により動作するように構成されている。
【００５２】
制御部４００は、例えば、ＣＰＵ、ＲＯＭ、ＲＡＭなどを備える。ＣＰＵは、ＲＯＭに予め格納された制御プログラムをＲＡＭに読み出して実行することにより、機器全体を本願の設定器として機能させる。
【００５３】
記憶部４０１は、例えば、ＥＥＰＲＯＭなどの不揮発性メモリにより構成されており、狭域無線網Ｎ２内の無線機２２に対して設定すべき情報、狭域無線網Ｎ２内の無線機２２から読み出した情報等を記憶する。
【００５４】
狭域無線通信部４０２は、アンテナ４０２ａを通じて電波を発信または受信することによって、狭域無線網Ｎ２に接続された無線機２２、番号発行無線機３０等と所定の無線通信方式にて通信を行う。無線通信方式としては、例えばＵバスエアの規格に準拠した通信方式が採用される。
【００５５】
接続ポート４０３は、メータ２３等を接続するためのインタフェースを備える。本実施の形態では、撤去済みの無線機２２に接続されていたメータ２３が接続ポート４０３に接続される。
【００５６】
表示部４０４は、ＬＥＤランプ、液晶表示パネル等により構成されており、制御部４００から出力される制御信号に基づいて、作業者に通知すべき情報を表示する。操作部４０５は、ディップスイッチ等の各種スイッチ、ボタンにより構成されており、作業員等による各種の設定操作を受付ける。
【００５７】
なお、本実施の形態では、設定器４０が狭域無線網Ｎ２内で無線通信を行う機器の１つとして説明を行うが、無線機２２に有線で接続され、接続先の無線機２２を介して他の無線機２２及び番号発行無線機３０と通信を行えるようにしてもよい。この場合、設定器４０は狭域無線通信部４０２を備えていなくてもよい。
【００５８】
図７は設定器４０及び番号発行無線機３０が実行する処理の手順を示すタイミングチャートである。図７では簡略化のために、番号発行無線機３０、設定器４０、及び狭域無線網Ｎ２から撤去済みの無線機２２に接続されていたメータ２３のみを示している。このメータ２３は、設定器４０の接続ポート４０３に接続されているものとする。
【００５９】
設定器４０は、番号発行無線機３０に対して番号削除要求を行うために予め定められた操作を操作部４０５にて受付ける（ステップＳ２０１）。番号削除要求を行うために予め定められた操作を操作部４０５にて受付けた場合、設定器４０は、接続ポート４０３に接続された機器を検索するために、デバイス検索を行う（ステップＳ２０２）。
【００６０】
メータ２３は、接続先の設定器４０からデバイス検索を受付けた場合、自身の識別子であるメータＩＤをデバイス検索の応答として設定器４０へ返信する（ステップＳ２０３）。
【００６１】
設定器４０は、メータ２３からデバイス検索の応答としてメータＩＤを受信した場合、撤去済みの無線機２２を特定する特定情報として受信したメータＩＤを含む番号削除要求を狭域無線通信部４０２より番号発行無線機３０へ送信する（ステップＳ２０４）。設定器４０から送信される番号削除要求は、直接的又は他の無線機２２を経由して、番号発行無線機３０に到達する。
【００６２】
番号発行無線機３０は、狭域無線通信部３０２を通じて、番号削除要求を受信した場合、該当する無線機番号を番号発行テーブルから削除する（ステップＳ２０５）。実施の形態２では、メータＩＤを検索キーとして撤去済みの無線機２２を特定する必要があるため、番号発行テーブルには、発行済みの無線機番号に無線機ＩＤ及びメータＩＤが予め記憶されているものとする。番号発行無線機３０は、メータＩＤに関連付けて記憶されている無線機ＩＤ（すなわち、撤去済みの無線機２２の無線機ＩＤ）も併せて番号発行テーブルから削除する。
【００６３】
番号発行無線機３０は、撤去済みの無線機２２の無線機番号及び無線機ＩＤを番号発行テーブルから削除した場合、無線機番号及び無線機ＩＤの削除が完了したことを示す削除応答を設定器４０へ返信する（ステップＳ２０６）。
【００６４】
設定器４０は、狭域無線通信部４０２を通じて、番号発行無線機３０から送信された削除応答を受信した場合、表示部４０４に削除結果を表示させる（ステップＳ２０７）。設定器４０は、例えば、無線機番号が削除された旨の文字を表示部４０４に表示させてもよく、表示部４０４が備えるＬＥＤランプを点灯又は点滅させることにより無線機番号が削除された旨を作業者に報知してもよい。
【００６５】
以上のように、実施の形態２では、番号発行無線機３０が有する番号発行テーブルから撤去済みの無線機２２の無線機番号を削除するので、無線機２２の撤去に伴って空き番号を確保することができる。また、実施の形態２では、設定器４０にて所定の操作を行うことにより、無線機番号が自動的に削除されるので、撤去済みの無線機２２の無線機番号又は無線機ＩＤを入力する作業者の手間を省くことができる。
【００６６】
なお、実施の形態２では、無線通信により設定器４０から番号発行無線機３０へ番号削除要求を送信する構成としたが、狭域無線網Ｎ２内で無線通信が可能な他の無線機２２に設定器４０を有線で接続し、接続先の無線機２２を通じて番号削除要求を番号発行無線機３０へ送信する構成としてもよい。
【００６７】
（実施の形態３）
実施の形態３では、撤去対象の無線機２２を設定器４０に接続して、無線機２２の記憶部２２１から無線機番号を設定器４０に取り込み、取り込んだ無線機番号に基づき番号削除要求を行う構成について説明を行う。
なお、無線テレメータシステムの全体構成、無線機２２、番号発行無線機３０、及び設定器４０の内部構成は、実施の形態１と同様であるため、その説明を省略することとする。
【００６８】
図８は設定器４０及び番号発行無線機３０が実行する処理の手順を示すタイミングチャートである。図８では簡略化のために、番号発行無線機３０、設定器４０、及び撤去対象の無線機２２のみを示している。撤去対象の無線機２２は、設定器４０の接続ポート４０３に接続されているものとする。
【００６９】
設定器４０は、撤去対象の無線機２２から無線機番号を取り込むために予め定められた操作を操作部４０５にて受付ける（ステップＳ３０１）。番号削除要求を行うために予め定められた操作を操作部４０５にて受付けた場合、設定器４０は、接続ポート４０３に接続された無線機２２の記憶部２２１にアクセスし（ステップＳ３０２）、記憶部２２１から無線機番号を取込む処理を行う（ステップＳ３０３）。
【００７０】
設定器４０は、撤去対象の無線機２２の記憶部２２１から当該無線機２２の無線機番号を取り込んだ場合、撤去対象の無線機２２を特定する特定情報として取り込んだ無線機番号を含む番号削除要求を狭域無線通信部２２２より番号発行無線機３０へ送信する（ステップＳ３０４）。設定器４０から送信される番号削除要求は、直接的又は他の無線機２２を経由して、番号発行無線機３０に到達する。
【００７１】
番号発行無線機３０は、狭域無線通信部３０２を通じて、番号削除要求を受信した場合、該当する無線機番号を番号発行テーブルから削除する（ステップＳ３０５）。番号発行無線機３０は、無線機番号に関連付けて記憶されている無線機ＩＤ（すなわち、撤去対象の無線機２２の無線機ＩＤ）も併せて番号発行テーブルから削除する。
【００７２】
番号発行無線機３０は、撤去される無線機２２の無線機番号及び無線機ＩＤを番号発行テーブルから削除した場合、無線機番号及び無線機ＩＤの削除が完了したことを示す削除応答を設定器４０へ返信する（ステップＳ３０６）。
【００７３】
設定器４０は、狭域無線通信部４０２を通じて、番号発行無線機３０から送信された削除応答を受信した場合、表示部４０４に削除結果を表示させる（ステップＳ３０７）。設定器４０は、例えば、無線機番号が削除された旨の文字を表示部４０４に表示させてもよく、表示部４０４が備えるＬＥＤランプを点灯又は点滅させることにより無線機番号が削除された旨を作業者に報知してもよい。
【００７４】
以上のように、実施の形態３では、番号発行無線機３０が有する番号発行テーブルから撤去対象の無線機２２の無線機番号を削除するので、無線機２２の撤去に伴って空き番号を確保することができる。また、実施の形態３では、設定器４０にて所定の操作を行うことにより、無線機番号が自動的に削除されるので、撤去対象の無線機２２の無線機番号又は無線機ＩＤを入力する作業者の手間を省くことができる。
【００７５】
なお、本実施の形態では、無線通信により設定器４０から番号発行無線機３０へ番号削除要求を送信する構成としたが、狭域無線網Ｎ２内で無線通信が可能な他の無線機２２に設定器４０を有線で接続し、接続先の無線機２２を通じて番号削除要求を番号発行無線機３０へ送信する構成としてもよい。
【００７６】
また、本実施の形態では、設定器４０に撤去対象の無線機２２を接続する構成としたが、記憶部２２１を無線機２２から取り外し、取り外した記憶部２２１を設定器４０に接続して当該記憶部２２１から無線機番号を読み込む構成であってもよい。この場合、記憶部２２１はＳＤ（Secure Digital）カード等の着脱可能な記録媒体であってもよい。
【００７７】
（実施の形態４）
実施の形態４では、解約済み需要家のリストを設定器４０に取り込み、取り込んだリストを参照して、番号削除要求を行う構成について説明する。
なお、無線テレメータシステムの全体構成、無線機２２、番号発行無線機３０、及び設定器４０の内部構成は、実施の形態１と同様であるため、その説明を省略することとする。
【００７８】
実施の形態４では、解約済みの需要家のリストを設定器４０に事前に取り込み、設定器４０の記憶部４０１に記憶させる。設定器４０は、解約済みの需要家のリストを表示部４０４に表示し、リストから無線機番号の削除対象の選択を受付ける。なお、このようなリストは、サービス提供業者の顧客管理用コンピュータから取込むことができる。
【００７９】
図９は設定器４０の表示部４０４に表示するリストの一例を示す模式図である。図９に示すリストは、無線機番号の削除を行うか否かの選択を受付けるチェックボックス４０４ａ、需要家の氏名を表示する氏名表示欄４０４ｂ、需要家の住所を表示する住所表示欄４０４ｃ、無線機２２が撤去済みであるか否かの情報を表示する状態表示欄４０４ｄ、及び番号削除要求の実行指示を与える削除ボタン４０４ｅ等を備える。なお、設定器４０が取り込むリストには、表示部４０４に表示される需要家の氏名、住所の他に、需要家宅に設置されていた無線機２２の無線機ＩＤが含まれるものとする。
【００８０】
図９に示すリストにおいて、需要家毎に設けられているチェックボックス４０４ａがチェックされ、削除ボタン４０４ｅの操作を受付けた場合、設定器４０は、対応する無線機２２の無線機ＩＤをリストとして含む番号削除要求を番号発行無線機３０へ送信する。
【００８１】
図１０は設定器４０及び番号発行無線機３０が実行する処理の手順を示すタイミングチャートである。図１０では簡略化のために、番号発行無線機３０及び設定器４０のみを示している。設定器４０は、解約済みの需要家のリストを表示部４０４に表示させるために予め定められた操作を受付けた場合（ステップＳ４０１）、記憶部４０１に記憶されているリストに基づき、図９に示すようなリストを表示部４０４に表示させる（ステップＳ４０２）。
【００８２】
次いで、設定器４０は、需要家毎に設けられているチェックボックス４０４ａにより削除対象が選択され（ステップＳ４０３）、削除ボタン４０４ｅの操作を受付けた場合、該当する無線機ＩＤのリストを含む番号削除要求を狭域無線通信部２２２より番号発行無線機３０へ送信する（ステップＳ４０４）。設定器４０から送信される番号削除要求は、直接的又は他の無線機２２を経由して、番号発行無線機３０に到達する。
【００８３】
番号発行無線機３０は、狭域無線通信部３０２を通じて、番号削除要求を受信した場合、該当する無線機番号を番号発行テーブルから削除する（ステップＳ４０５）。このとき、番号発行無線機３０は、無線機番号に関連付けて記憶されている無線機ＩＤ（すなわち、撤去対象の無線機２２の無線機ＩＤ）も併せて番号発行テーブルから削除する。
【００８４】
番号発行無線機３０は、撤去対象の無線機２２の無線機番号及び無線機ＩＤを番号発行テーブルから削除した場合、無線機番号及び無線機ＩＤの削除が完了したことを示す削除応答を設定器４０へ返信する（ステップＳ４０６）。
【００８５】
設定器４０は、狭域無線通信部４０２を通じて、番号発行無線機３０から送信された削除応答を受信した場合、表示部４０４に削除結果を表示させる（ステップＳ４０７）。設定器４０は、例えば、無線機番号が削除された旨の文字を表示部４０４に表示させてもよく、表示部４０４が備えるＬＥＤランプを点灯又は点滅させることにより無線機番号が削除された旨を作業者に報知してもよい。
【００８６】
以上のように、実施の形態４では、無線機２２を撤去する際に番号発行テーブルから撤去対象の無線機番号を削除するので、無線機２２の撤去に伴って空き番号を確保することができる。また、実施の形態４では、無線機番号の削除対象となる無線機２２を需要家の情報に基づき選択することができる。しかも複数の無線機２２，２２，…，２２を一度に選択することができるので、作業者の作業負担を軽減することができる。
【００８７】
なお、実施の形態１〜４では、番号発行無線機３０の外部から番号削除要求を送信する構成としたが、番号発行無線機３０が自発的に番号削除を行うことも可能である。例えば、番号発行無線機３０は、隣接無線機とホップ数テーブルの交換が可能であり、適宜更新されるホップ数テーブルを参照することにより、狭域無線網Ｎ２から消失した無線機２２を検知することが可能である。番号発行無線機３０は、消失した無線機２２を検知してからの経過時間を計時し、計時した時間が所定時間（例えば３００時間）経過した場合に、番号発行テーブルから該当する無線機番号を削除する構成としてもよい。
【００８８】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【００８９】
以上の実施の形態に関し、更に以下の付記を開示する。
【００９０】
本願の無線テレメータシステムは、メータ（２３）を接続する接続部（２２３）を備え、無線網（Ｎ２）内で夫々に付与された無線機番号を用いて無線通信を行う複数の無線機（２２）、及び、前記無線網（Ｎ２）に接続された各無線機（２２）に対して付与すべき無線機番号の発行が可能であり、各無線機（２２）に発行した無線機番号と、各無線機が有する固有の識別子とを関連付けて記憶する記憶部（３０１）を備える番号発行無線機（３０）を含む無線テレメータシステムにおいて、前記番号発行無線機（３０）は、前記無線網（Ｎ２）に接続された無線機（２２）のうち撤去対象の無線機（２２）を特定する特定情報を取得した機器（２２，４０）より送信され、前記特定情報を含み、前記特定情報により特定される無線機（２２）に対して付与した無線機番号の削除を要求する削除要求を前記無線網（Ｎ２）を通じて受信する受信部（３０２）と、該受信部（３０２）にて受信した削除要求に含まれる特定情報を参照し、該特定情報により特定される無線機（２２）の無線機番号を前記記憶部（３０１）から削除する削除部（３００）とを備えることを特徴とする。
【００９１】
本願では、無線機を撤去する際に記憶部から撤去対象の無線機を削除するので、無線機の撤去に伴い、無線機番号の空きを確保することができる。
【００９２】
本願の無線テレメータシステムは、前記機器（２０，４０）は、前記無線網（Ｎ２）に接続された一の無線機（２２）であり、該無線機（２２）は、前記無線網（Ｎ２）からの撤去を指示する操作を受付ける受付部（２２５）と、該受付部（２２５）にて前記操作を受付けた場合、前記無線機（２２）を特定する特定情報を含み、前記無線機（２２）に付与されている無線機番号の削除要求を前記番号発行無線機（３０）へ送信する送信部（２２２）とを備えることを特徴とする。
【００９３】
本願では、撤去対象の無線機にて指示を受付けることにより、無線機番号が自動的に削除されるので、撤去対象の無線機の無線機番号又は無線機ＩＤを入力する作業者の手間を省くことができる。
【００９４】
本願の無線テレメータシステムは、前記機器（２０，４０）は、前記番号発行無線機（３０）と通信可能であり、各無線機（２２）に対する設定を行う設定器（４０）であり、該設定器（４０）は、前記無線網（Ｎ２）から撤去される無線機（２２）を特定する特定情報を取得する取得部（４０３）と、該取得部（４０３）により取得した特定情報を含み、該特定情報により特定される無線機（２２）に対して付与されている無線機番号の削除要求を前記番号発行無線機（３０）へ送信する送信部（４０２）とを備えることを特徴とする。
【００９５】
本願では、設定器が撤去対象の無線機の無線機番号を取得することにより、無線機番号が自動的に削除されるので、撤去対象の無線機の無線機番号又は無線機ＩＤを入力する作業者の手間を省くことができる。
【００９６】
本願の無線テレメータシステムは、前記記憶部（３０１）は、各無線機（２２）の接続部（２２３）に接続されたメータ（２３）を識別するメータ識別子を各無線機（２２）の無線機番号に関連付けて記憶してあり、前記取得部（４０３）が取得する特定情報は、前記無線網（Ｎ２）から撤去された無線機（２２）に接続されていたメータ（２３）のメータ識別子であることを特徴とする。
【００９７】
本願では、撤去された無線機に接続されたメータのメータ識別子により、撤去された無線機の無線機番号を特定することができる。
【００９８】
本願の無線テレメータシステムは、前記設定器（４０）は、前記番号発行無線機（３０）により付与された無線機番号を記憶する前記無線機（２３）のメモリ（２３１）へアクセスするアクセス部（４００）と、該アクセス部（４００）を通じてアクセスした前記メモリ（２２１）から無線機番号を取り込む取込部（４０３）とを備え、前記取得部（４０３）が取得する特定情報は、前記取込部（４０３）が前記メモリ（２２１）から取り込んだ無線機番号であることを特徴とする。
【００９９】
本願では、撤去される無線機に搭載されているメモリへアクセスすることにより、撤去される無線機の無線機番号を特定することができる。
【０１００】
本願の無線テレメータシステムは、前記設定器（４０）は、前記メータ（２３）が設置された需要家に関する情報と、前記メータ（２３）が接続されている無線機（２２）の識別子とを関連付けたリストを記憶するリスト記憶部（４０１）と、前記リストに基づき、前記需要家に関する情報を表示する表示部（４０４）と、該表示部（４０４）に表示した需要家の情報から、１又は複数の需要家の情報に対する選択を受付ける選択部（４０５）とを備え、前記取得部（４０３）が取得する特定情報は、前記選択部（４０５）により選択された１又は複数の需要家の情報に関連付けられている無線機（２２）の識別子であることを特徴とする。
【０１０１】
本願では、メータが接続された需要家の情報に基づき、撤去された無線機の無線機番号を特定することができる。
【０１０２】
本願の番号発行無線機は、無線網（Ｎ２）内の各無線機（２２）に対して付与すべき無線機番号を発行する発行部（３００）、及び各無線機（２２）に発行した無線機番号と、各無線機（２２）が有する固有の識別子とを関連付けて記憶する記憶部（３０１）を備える番号発行無線機（３０）において、前記無線網（Ｎ２）に接続された無線機（２２）のうち撤去対象の無線機（２２）を特定する特定情報を取得した機器（２２，４０）より送信され、前記特定情報を含み、前記特定情報により特定される無線機（２２）に対して付与した無線機番号の削除を要求する削除要求を前記無線網（Ｎ２）を通じて受信する受信部（３０２）と、該受信部（３０２）にて受信した削除要求に含まれる特定情報を参照し、該特定情報により特定される無線機（２２）の無線機番号を前記記憶部（３０１）から削除する削除部（３００）とを備えることを特徴とする。
【０１０３】
本願では、無線機を撤去する際に記憶部から撤去対象の無線機を削除するので、無線機の撤去に伴い、無線機番号の空きを確保することができる。
【０１０４】
本願の無線機は、メータ（２３）を接続する接続部（２２３）を備え、番号発行無線機（３０）から付与された無線機番号を用いて無線網（Ｎ２）に接続された他の無線機（２２）と無線通信を行う無線機（２２）において、前記無線網（Ｎ２）からの撤去を指示する操作を受付ける受付部（２２５）と、該受付部（２２５）にて前記操作を受付けた場合、前記無線機（２２）を特定する特定情報を含み、前記無線機（２２）に付与されている無線機番号の削除を要求する削除要求を前記番号発行無線機（３０）へ送信する送信部（２２２）とを備えることを特徴とする。
【０１０５】
本願では、撤去対象の無線機にて指示を受付けることにより、無線機番号が自動的に削除されるので、撤去対象の無線機の無線機番号又は無線機ＩＤを入力する作業者の手間を省くことができる。
【０１０６】
本願の設定器は、無線網（Ｎ２）に接続された各無線機（２２）に対して付与すべき無線機番号の発行する番号発行無線機（３０）と通信可能であり、各無線機（２２）に対する設定を行う設定器（４０）において、前記無線網（Ｎ２）から撤去される無線機（２２）を特定する特定情報を取得する取得部（４０３）と、該取得部（４０３）により取得した特定情報を含み、該特定情報により特定される無線機（２２）に対して付与されている無線機番号の削除を要求する削除要求を前記番号発行無線機（３０）へ送信する送信部（４０２）とを備えることを特徴とする。
【０１０７】
本願では、設定器が撤去対象の無線機の無線機番号を取得することにより、無線機番号が自動的に削除されるので、撤去対象の無線機の無線機番号又は無線機ＩＤを入力する作業者の手間を省くことができる。
【符号の説明】
【０１０８】
１０  センタ装置
２０  ＮＣＵ
２１  ゲートウェイ無線機
２２  無線機
２３  メータ
３０  番号発行無線機
４０  設定器
２２０，３００，４００  制御部
２２１，３０１，４０１  記憶部
２２２，３０２，４０２  狭域無線通信部
２２３，３０３，４０３  接続ポート
２２４，３０４，４０４  表示部
２２５，３０５，４０５  操作部
２２９  ３０９，４０９  電池
【図１】
2017199967.tif 000003
【図２】
2017199967.tif 000004
【図３】
2017199967.tif 000005
【図４】
2017199967.tif 000006
【図５】
2017199967.tif 000007
【図６】
2017199967.tif 000008
【図７】
2017199967.tif 000009
【図８】
2017199967.tif 000010
【図９】
2017199967.tif 000011
【図１０】
2017199967.tif 000012